(57)【要約】【課題】  作動の良否を正確に診断することのできるガストラップ診断装置を提供する。【解決手段】  入口側配管２にホルダー１０を取り付けて、超音波送受信器５又は６を着脱自在に配置する。ガストラップ１の上面にハンディ式の超音波振動検出器７を押し当てて、ガストラップ１の内部を流下する流体によって発生する超音波振動を検出する。超音波送受信器５と超音波振動検出器７は、接続コード１３，１６で演算表示器４と接続する。入口側配管２内の凝縮液の液位を測定する場合は、超音波送受信器５又は６をホルダー１０に取り付ける。  ガストラップ１の作動の良否を振動検出器７で測定することが出来ると共に、ガストラップ１の入口側配管２内の凝縮液の量もホルダー１０を介した超音波送受信器５又は６で測定することができ、ガストラップ１の作動の良否をより正確に診断することができる。【選択図】      図１
2006003086.tif 000002
【特許請求の範囲】
【請求項１】
ガストラップの発する振動を検出して、ガストラップが正常に作動しているのか否かを診断するものにおいて、ガストラップ本体内の液位又はガストラップ入口側近傍の液位を超音波で測定する超音波液位測定器を具備したことを特徴とするガストラップ診断装置。
【発明の詳細な説明】
【技術分野】
【０００１】
本発明は、各種ガス配管やレシーバタンク等に取り付けられて、ガス中に含まれている液分が凝縮した凝縮液を自動的に系外へ排出するガストラップの、作動の良否を診断するガストラップ診断装置に関する。各種ガスとは、高圧の圧縮エアーや都市ガスやナフサ等様々な種類がある。
【背景技術】
【０００２】
ガストラップ診断装置は、ガストラップが開弁して凝縮液や高圧ガスを排出する場合に発生する超音波振動を検出して、予め設定しておいた作動の良否の振動基準と比較することにより、ガストラップが正常に作動しているのか否かを診断するものである。
【０００３】
従来のガストラップ診断装置においては、ガストラップの弁口の一部又は全部が閉塞してしまった場合に、作動の良否を正確に診断することができない問題点があった。ガストラップの弁口の一部が閉塞して凝縮液を確実に排出できない状態であっても、残った弁口から凝縮液を排出しておれば、正常に作動している場合とほぼ同様な超音波振動を発生するために、ガストラップは正常に作動しているものと誤判断してしまうためである。また、ガストラップの弁口の全部が閉塞してガストラップの入口側に凝縮液を滞留している状態であっても、ガストラップの弁体が弁口を閉弁して超音波振動を発生せず正常な閉弁状態を維持しているものと誤判断してしまうためである。
【特許文献１】特公平４−５５２６０号公報
【発明の開示】
【発明が解決しようとする課題】
【０００４】
解決しようとする課題は、ガストラップの弁口が閉塞状態であっても、ガストラップの作動の良否を正確に診断することのできるガストラップ診断装置を提供することである。
【課題を解決するための手段】
【０００５】
本発明は、ガストラップの発する振動を検出して、ガストラップが正常に作動しているのか否かを診断するものにおいて、ガストラップ本体内の液位又はガストラップ入口側近傍の液位を超音波で測定する超音波液位測定器を具備したものである。
【発明の効果】
【０００６】
本発明は、超音波液位測定器を具備したことによって、ガストラップ本体内の液位又はガストラップ入口側の液位を測定して凝縮液の滞留の有無を検出し、ガストラップの弁口の閉塞状態を把握することができ、ガストラップの作動の良否を正確に診断することができる。
【発明を実施するための最良の形態】
【０００７】
本発明のガストラップ診断装置では、超音波液位測定器として、凝縮液面で超音波が反射することによって液位を測定する方法により、凝縮液の液位を正確に測定することができる。
【実施例１】
【０００８】
図１において、内部に弁体と弁口を有するガストラップ１と、各種演算や表示や記憶機能を果たす演算表示器４と、超音波送受信器５，６、及び、超音波送受信器６を先端に取り付けたハンディ式の超音波振動検出器７とでガストラップ診断装置を構成する。図１においては、超音波振動検出器７によって、ガストラップ１が発する超音波振動を検出して、ガストラップ１が正常に作動しているのか、又は、弁口が閉塞状態にあるのか、又は、ガス漏れを起こしているのか等の作動の良否を診断している状態を示す。なお、超音波送受信器６は振動検出器７から着脱自在に取り付けるものとする。
【０００９】
ガストラップ１の入口側配管２に超音波送受信器５を所定角度で固定するホルダー８を取り付ける。ホルダー８から所定距離隔てて第２のホルダー９を取り付ける。ホルダー９には、図示しないが、配管２内の流体の流速を測定するために着脱式の超音波送受信器６を送受信器５と同様に取り付ける。配管２の下面に第３のホルダー１０を取り付けて、超音波送受信器５，６のいずれか一方を固定して配管２内の液位を測定することができるようにする。本実施例においては、超音波送受信器５又は６とホルダー１０と演算表示器４とで超音波液位測定器を構成する。
【００１０】
ガストラップ１の入口１１を入口側配管２と接続し、出口１２を出口側配管３と接続する。ガストラップ１は、流入して来る気液混合流体の内、凝縮液だけを出口１２側へ排出し、圧縮エアーやガスは排出しないものであるが、長期間の使用によってガスを出口１２側へ漏洩したり、あるいは、弁口が閉塞状態となって出口１２側へ凝縮液を排出することが出来なくなってしまう不具合を生じる。本実施例においては、超音波振動検出器７によりガストラップ１の発する超音波振動を検出することによって、ガストラップ１が正常に凝縮液だけを排出しているのか、あるいは、不良となってガスやエアーを出口１２側へ漏洩しているのかをそれぞれ測定することができる。
【００１１】
超音波振動検出器７の上端部に接続コード１３を着脱自在に取り付ける。接続コード１３の他端部は演算表示器４と接続する。超音波振動検出器７で検出されたガストラップ１の超音波振動は、接続コード１３で演算表示器４に送られ、ここで演算や比較等が行われ、表示部１４にその結果を表示する。演算表示器４には、各種データや条件や数値を入力するためのキーボード１５を配置すると共に、接続コード１６によって超音波送受信器５と接続する。
【００１２】
ガストラップ１の弁口が閉塞状態となって凝縮液を排出することが出来ずに入口側配管２内に凝縮液を滞留しているのか否かを測定する場合は、超音波送受信器５をホルダー８から取り外して別個のホルダー１０に固定することにより、配管２内の断面積を満たしきれていない凝縮液の液面で超音波が反射することを利用して、凝縮液の液位を検出することができ、この液位が所定値よりも高くなると弁口が閉塞状態であると診断することができる。更にこの場合、超音波振動検出器７で所定時間の間に超音波振動を検出しなければより確実に弁口が閉塞状態であると診断することができる。
【００１３】
また、超音波振動検出器７の先端に取り付けた超音波送受信器６の超音波レンジを切り換えることによって、それまではガストラップ１の弁口からの排出流体に応じた超音波を検出していたものを、ガストラップ１内の凝縮液の液面で超音波が反射されることを利用して、液位を検出することができ、この液位が所定値よりも高くなると弁口が閉塞状態である、あるいは、ガストラップ１の弁口が小さすぎるためにガストラップ１から充分に凝縮液を外部へ排出することが出来ていない不良状態と診断することができる。
【００１４】
本実施例においては、入口側配管２からガストラップ１に流入する凝縮液の量を測定することができるようにする。すなわち、超音波送受信器６を振動検出器７から取り外して接続コード１３と接続すると共に、ホルダー９に固定して、配管２上面の超音波送受信器５と対をなし、それぞれ超音波を発信又は受信することによって、配管２内の凝縮液の流速を検出することができ、更に、必要な補正係数や配管２の断面積等を演算表示器４へ入力することによって、配管２を通過する凝縮液の量を測定することができる。
【００１５】
配管２内を通過する凝縮液の量が少なくてホルダー８，９を介した超音波送受信器５，６での測定値では誤差が大きい場合は、超音波送受信器５をホルダー８から取り外して別個のホルダー１０に固定することにより、配管２内の断面積を満たしきれていない凝縮液の液面で超音波が反射することを利用して液位を検出することができ、更に正確に配管２内を通過する凝縮液の量を測定することができる。
【００１６】
このようにガストラップ１が凝縮液を排出することが出来ずに、凝縮液を滞留しているのか否かを測定することができ、ガストラップ１の作動の良否も正確に診断することができる。
【図面の簡単な説明】
【００１７】
【図１】本発明のガストラップ診断装置の構成図。
【符号の説明】
【００１８】
１  ガストラップ
２  入口側配管
３  出口側配管
４  演算表示器
５  超音波送受信器
６  超音波送受信器
７  超音波振動検出器
８，９  ホルダー
１０  ホルダー
【図１】
2006003086.tif 000003